【手続補正書】
【提出日】平成20年2月7日(2008.2.7)
【手続補正１】
【補正対象書類名】特許請求の範囲
【補正対象項目名】全文
【補正方法】変更
【補正の内容】
【特許請求の範囲】
【請求項１】
視覚障害のための非侵襲的な眼の治療装置であって、
対象者の眼の近傍に電気的に接触させられる直流源の第１電極と、
対象者に電気的に接触させられる直流源の第２電極と、
を備え、
前記電極の間に、抵抗を約５００オームとして約１〜８００マイクロアンペアで所定の期間、直流電流が発生される装置。
【請求項２】
前記直流電流が２種以上の周波数で発生されることを特徴とする請求項１に記載の装置。
【請求項３】
前記直流電流が２種以上の周波数で、約１０，０００〜１２，０００Ｈｚの搬送波信号を用いて発生されることを特徴とする請求項１に記載の装置。
【請求項４】
前記直流電流が約２９２Ｈｚで約１分間発生されることを特徴とする請求項３に記載の装置。
【請求項５】
前記直流電流が約３１Ｈｚで約２分間発生されることを特徴とする請求項３に記載の装置。
【請求項６】
前記直流電流が約８〜９Ｈｚで少なくとも７分間発生されることを特徴とする請求項３に記載の装置。
【請求項７】
前記直流電流が約０．１５〜０．３Ｈｚで少なくとも７分間発生されることを特徴とする請求項３に記載の装置。
【請求項８】
前記直流電流が選択周波数プロファイルで時間の関数として、約１０，０００〜１２，０００Ｈｚの搬送波信号を用いて発生されることを特徴とする請求項１に記載の装置。
【請求項９】
前記選択周波数プロファイルが、約２９２Ｈｚで約１分間、約３１Ｈｚで約２分間、約
８〜９Ｈｚで少なくとも７分間、および約０．１５〜０．３Ｈｚで少なくとも７分間からなることを特徴とする請求項８に記載の装置。
【請求項１０】
前記搬送波信号を前記所定の期間の間にオン・オフに変調することを特徴とする請求項３に記載の装置。
【請求項１１】
前記電極における前記搬送波信号の極性を逆転することによって前記搬送波信号を逆転することを特徴とする請求項１０に記載の装置。
【請求項１２】
前記搬送波信号を約０．５秒ごとに逆転することを特徴とする請求項１１に記載の装置。
【請求項１３】
対象者の眼に施用される１平方センチメートルあたり最大約４．５ジュールの出力密度の光エネルギーを発する、請求項１に記載の装置。
【請求項１４】
前記光エネルギーは１平方センチメートルあたり約５ミリワットの光強度を有することを特徴とする、請求項１３に記載の装置。
【請求項１５】
前記光エネルギーは約１４５Ｈｚの周波数で最大約１５分間発せられることを特徴とする、請求項１４に記載の装置。
【請求項１６】
前記光エネルギーは、波長範囲が約４５０〜５００ｎｍ（青）、約５２０〜５７０ｎｍ（緑）、約５６５〜５９０ｎｍ（黄）、または６２５〜７４０ｎｍ（赤）であることを特徴とする、請求項１３に記載の装置。
【請求項１７】
前記光エネルギーの施用は、対象者のそれぞれの眼に、第１および第２の波長範囲を特徴とする光エネルギーの間で順次行われることを特徴とする、請求項１６に記載の装置。
【請求項１８】
前記第１の波長範囲が約４５０〜５００ｎｍからなる、請求項１７に記載の装置。
【請求項１９】
前記第２の波長範囲が約５２０〜５７０ｎｍからなる、請求項１８に記載の装置。
【請求項２０】
前記第１の波長範囲が約５２０〜５７０ｎｍからなる、請求項１７に記載の装置。
【請求項２１】
前記第２の波長範囲が約４５０〜５００ｎｍからなる、請求項２０に記載の装置。
【請求項２２】
前記第１の波長範囲が約５６５〜５９０ｎｍからなる、請求項１７に記載の装置。
【請求項２３】
前記第２の波長範囲が約６２５〜７４０ｎｍからなる、請求項２２に記載の装置。
【請求項２４】
前記第１の波長範囲が約６２５〜７４０ｎｍからなる、請求項１７に記載の装置。
【請求項２５】
前記第２の波長範囲が約５６５〜５９０ｎｍからなる、請求項２４に記載の装置。
【請求項２６】
対象者の眼に直接施用される超低周波の音波を発する、請求項１に記載の装置。
【請求項２７】
前記超低周波の音波は約８〜１４Ｈｚの周波数であることを特徴とする請求項２６に記載の装置。
【請求項２８】
対象者の眼に直接施用される超低周波の音波を発する、請求項１３に記載の装置。
【請求項２９】
前記超低周波の音波は約８〜１４Ｈｚの周波数であることを特徴とする請求項２８に記載の装置。
【請求項３０】
視覚障害のための非侵襲的な眼の治療装置であって、
対象者の眼の近傍に電気的に接触させられる直流源の第１電極と、
対象者に電気的に接触させられる直流源の第２電極と、
を備え、
振幅変調されたパルス搬送波信号が、極性の逆転により、前記第１および第２の電極の一方から他方へと送られる装置。
【請求項３１】
前記極性の逆転が不変のものである請求項３０に記載の装置。
【請求項３２】
前記極性が周期的に行われる請求項３０に記載の装置。
【請求項３３】
前記振幅変調されたパルス搬送波信号が、予め選択された周波数プロファイルで振幅変調される請求項３０に記載の装置。
【請求項３４】
前記予め選択された周波数プロファイルが少なくとも２つの固有周波数を有する請求項３３に記載の装置。
【請求項３５】
前記予め選択された周波数プロファイルが少なくとも３つの固有周波数を有する請求項３３に記載の装置。
【請求項３６】
前記予め選択された周波数プロファイルが少なくとも２つの固有周波数を有する請求項３３に記載の装置。
【請求項３７】
前記予め選択された周波数プロファイルの周波数は約２５０〜３００Ｈｚの範囲の周波数を含む請求項３３に記載の装置。
【請求項３８】
前記予め選択された周波数プロファイルの周波数は約２５〜３５Ｈｚの範囲の周波数を含む請求項３３に記載の装置。
【請求項３９】
前記予め選択された周波数プロファイルの周波数は約７〜１０Ｈｚの範囲の周波数を含む請求項３３に記載の装置。
【請求項４０】
前記予め選択された周波数プロファイルの周波数は約０．１５〜０．３Ｈｚの範囲の周波数を含む請求項３３に記載の装置。
【請求項４１】
前記予め選択された周波数プロファイルの周波数は約２５〜３５Ｈｚの範囲の周波数を含む請求項４０に記載の装置。
【請求項４２】
前記予め選択された周波数プロファイルの周波数は約２５０〜３００Ｈｚの範囲の周波数を含む請求項４１に記載の装置。
【請求項４３】
対象者の眼に選択的に施与される可視光のスペクトル成分を送達する請求項３０に記載の装置。
【請求項４４】
前記可視光のスペクトル成分は青、緑、黄、および赤色から選択される請求項４３に記載の装置。
【請求項４５】
前記可視光のスペクトル成分の少なくとも２つが前記可視光の選択的施与の間に順次送達される請求項４４に記載の装置。
【請求項４６】
対象者の眼に選択的に施与される超低周波の音波を送達する請求項４３に記載の装置。
【請求項４７】
対象者の眼に選択的に施与される超低周波の音波を送達する請求項３０に記載の装置。
【請求項４８】
前記超低周波の音波は約８〜１４Ｈｚの周波数であることを特徴とする請求宇高４７に記載の装置。
【請求項４９】
視覚障害のための非侵襲的な眼の治療装置であって、
視覚障害対象者に向けられる逆転パルス搬送波信号源を備え、逆転パルス搬送波信号は予め選択された周波数シーケンスで振幅変調される装置。
【請求項５０】
前記予め選択された周波数シーケンスが４つ以下の別個の振幅変調周波数を有する請求項４９に記載の装置。
【請求項５１】
前記４つ以下の別個の振幅変調周波数が、２５０〜３００Ｈｚ、２５〜３５Ｈｚ、７〜１０Ｈｚ、および０．１５〜０．３Ｈｚのうちの１または複数から選択される振幅変調周波数を含む請求項５０に記載の装置。
【請求項５２】
前記予め選択された周波数シーケンスは約２５０〜３００Ｈｚの範囲の第１の周波数を含む請求項４９に記載の装置。
【請求項５３】
前記予め選択された周波数シーケンスは約２５〜３５Ｈｚの範囲の第２の周波数を含む請求項５２に記載の装置。
【請求項５４】
前記予め選択された周波数シーケンスは約７〜１０Ｈｚの範囲の第３の周波数を含む請求項５３に記載の装置。
【請求項５５】
前記予め選択された周波数シーケンスは約０．１５〜０．３Ｈｚの範囲の第３の周波数を含む請求項５４に記載の装置。
【請求項５６】
視覚障害対象者の眼に選択的に施与される可視光の成分を送達し、前記可視光の成分が青、緑、黄、および赤色から選択される請求項４９に記載の装置。
【請求項５７】
対象者の眼に選択的に施与される超低周波の音波を送達する請求項５６に記載の装置。
【請求項５８】
対象者の眼に選択的に施与される超低周波の音波を送達する請求項４９に記載の装置。
【請求項５９】
視覚障害のための非侵襲的な眼の治療装置であって、
電極と、頭部支持構造の装着者の眼に可視光の１または複数の成分を選択的に送達する手段とを備えた前記頭部支持構造を備え、
前記頭部支持構造は前記電極と振幅変調パルス搬送波信号を送受し、前記振幅変調パルス搬送波信号の極性が逆転される装置。
【請求項６０】
前記頭部支持構造は頭部支持構造の装着者の眼に超低周波の音波を選択的に発射する手段をさらに備える請求項５９に記載の装置。
【手続補正２】
【補正対象書類名】明細書
【補正対象項目名】００１４
【補正方法】変更
【補正の内容】
【００１４】
本発明の主な目的は、視覚障害を治療するための改良された装置を提供することである。
本発明の別の目的は、電流を経眼的に伝導させて眼を治療することにより視力を回復させるための安全で改良された非侵襲的な治療のための装置を提供することである。
【手続補正３】
【補正対象書類名】明細書
【補正対象項目名】００１５
【補正方法】変更
【補正の内容】
【００１５】
本発明のさらに別の目的は、他のエネルギー形態、すなわち光エネルギーまたは音響エネルギーのうち少なくともいずれか一方により供給される電流を経眼的に伝導させて眼を治療することにより視力を回復させるための、安全で改良された非侵襲的な治療のための装置を提供することである。